(57)【特許請求の範囲】
【請求項１】
組付き筒（２）により壜体口筒（２１）に外嵌組付きするキャップ本体（１）と、該キャップ本体（１）の後端に、連結板（５）およびヒンジ（２０）を介して連結された蓋体（１６）とから構成される合成樹脂製のヒンジキャップであって、
前記組付き筒（２）の後側に、前記連結板（５）が嵌合する凹欠部（３）を、該組付き筒（２）の全高さ範囲にわたって形成し、
前記連結板（５）の高さ幅を、前記組付き筒（２）の高さ幅に等しく形成するとともに、該連結板（５）の上端に前記ヒンジ（２０）の前端を連結し、
前記凹欠部（３）の周方向のいずれか一方の側壁において、該一方の側壁と該凹欠部（３）の底壁を、前記組付き筒（２）の全高さ範囲にわたる後部弱化線（７）で破断可能に接続し、更に該凹欠部（３）に前記連結板（５）を組付けた際に前記一方の側壁に対応した側の該連結板（５）の連結端縁と、前記一方の側壁の開放端側端縁を連結部（６）で破断不可に連結し、かつ前記連結端縁の周方向に対向した係合端縁を、前記凹欠部（３）の周方向の他方の側壁に取り外し可能に係合させ、
前記組付き筒（２）の上端に上部弱化線（８）を周方向に破断可能に設け、前記後部弱化線（７）の上端を該上部弱化線（８）に接続させてなるヒンジキャップ。
【発明の詳細な説明】
【０００１】
【発明が属する技術分野】
本発明は、壜体に組付けられ、廃棄時において、この壜体と容易に分別可能とした合成樹脂製のヒンジキャップに関するものである。
【０００２】
【従来の技術】
この種のヒンジキャップの従来例として、特開平８−３４４６２号公報に記載されたものが知られている。
【０００３】
この従来技術は、キャップ本体に、キャップ本体の下端からキャップ本体のスカート部を覆って延びる側壁を形成し、側壁はヒンジ部を介して上蓋と連結されると共に、スカート部との間に互いに係合する係合部が形成されており、側壁で覆われるキャップ本体のスカート部には弱化部が形成されて、上蓋をキャップ本体から開蓋し、側壁の係合部を解除して、側壁をキャップ軸方向上方に引き上げることにより、キャップ本体スカート部に形成された弱化部が破壊され、容器口部から容易に取り外し、分別するようにしている。
【０００４】
【発明が解決しようとする課題】
しかしながら、上記した従来技術にあっては、キャップ本体のスカート部に形成された弱化部は、破壊されることにより、スカート部の全高さ範囲にわたって縦割り溝を形成するだけであるので、上蓋の引き上げ操作だけで分別を達成しようとすると、きわめて強大な操作力を必要とするので、弱化部の破壊されたスカート部を、引っかけ等により拡径変形させながら、上蓋を引き上げて分別を達成することになり、分別操作が面倒である、と云う問題があった。
【０００５】
また、側壁のスカート部に対する係合は、側壁の両側端部で達成するので、個々の係合部を強力で等しい係合力を発揮するものとする必要があり、その分、成形が複雑となり勝ちとなると共に、係合組立てに、強力な組立て力を要することになる、と云う問題があった。
【０００６】
そこで、本発明は、上記した従来技術における問題点を解消すべく創案されたもので、弱化部相当部分の破壊が、スカート部相当部分の拡径変形となり、また側壁相当部分のスカート部相当部分への連結部の反対側に係合機能部分を配置させることを技術的課題とし、もって無理なく円滑にヒンジキャップの分別を達成すると共に、スカート部相当部分に対する側壁相当部分の係合機能部を、構造が簡単で、安定した係合組付きを発揮するものとすることを目的とする。
【０００７】
【課題を解決するための手段】
上記技術的課題を解決する本発明の手段は、
組付き筒により壜体口筒に外嵌組付きするキャップ本体と、このキャップ本体の後端に、連結板およびヒンジを介して連結された蓋体とから構成される合成樹脂製のヒンジキャップであること、
組付き筒の後側に、連結板が嵌合する凹欠部を、組付き筒の全高さ範囲にわたって形成し、連結板の高さ幅を、組付き筒の高さ幅に等しく形成するとともに、連結板の上端にヒンジの前端を連結したこと、
凹欠部の周方向のいずれか一方の側壁において、一方の側壁と凹欠部の底壁を、組付き筒の全高さ範囲にわたる後部弱化線で破断可能に接続し、更に凹欠部に連結板を組付けた際に前記一方の側壁に対応した側の該連結板の連結端縁と、前記一方の側壁の開放端側端縁を連結部で破断不可に連結し、かつ前記連結端縁の周方向に対向した係合端縁を、前記凹欠部の周方向の他方の側壁に取り外し可能に係合させたこと、
組付き筒と、キャップ本体の頂板との間に上部弱化線を周方向に破断可能に設け、後部弱化線の上端を上部弱化線に接続させたこと、
にある。
【０００８】
分別廃棄時には、開いた状態の蓋体を、連結部を回動軸芯として、連結板がキャップ本体の組付き筒から離れる側方向に回動させると、連結板の他方側端縁が凹欠部の係合部から離脱して、連結板が凹欠部体から外れる。
【０００９】
さらに、蓋体を同一方向に回動させながら外方に引っ張ると、後部弱化線の破断に続いて上部弱化線が破断して、組付き筒が拡径変形するので、組付き筒の壜体口筒に対するアンダーカット結合力は大幅に低下することになり、それゆえ引き続いて蓋体を引き上げれば、キャップ本体を壜体口筒から容易に取り外すことができる。
【００１０】
また、連結板の組付き筒に対する不動な組付きは、連結板の一方側端縁を組付き筒に一体結合する連結部と、連結板の他方端縁を係合保持する凹欠部の係合部との組合せにより達成しているので、連結部がそのまま連結板の不動な組付け保持に機能しており、これにより係合部の構造は、単に連結板の回動変位を阻止することができるものであれば良く、簡単のものとなる。
【００１１】
【発明の実施の形態】
以下、本発明の一実施例を、図面を参照しながら説明する。
ヒンジキャップは、壜体口筒２１にアンダーカット結合により外嵌組付きするキャップ本体１と、このキャップ本体１の後端に連結板５およびヒンジ２０を介して連結された蓋体１６とから構成されている。
【００１２】
キャップ本体１は、壜体口筒２１に外嵌する組付き筒２の上端に頂板９を連設し、この頂板９の上面周端部に、蓋体１６の周壁１７が係脱可能に外嵌する嵌着段部１０を形成し、この嵌着段部１０の内側には、注出口を形成する、ラッパ上に拡がった注出筒片１１が立設されている。
【００１３】
注出筒片１１内の下端部には、破断溝１３の内側部分を除去壁部１４とした口壁１２が設けられており、除去壁部１４は、その上面に一体設されたプルリング１５を使用時に引き上げることにより、破断溝１３に沿って破断されて除去されて、注出口を形成する。
【００１４】
ヒンジ２０を介して連結板５に一体設された蓋体１６の頂壁１８の内面には、蓋体１６の閉状態において、注出筒片１１の開口部に密嵌入して、注出口を密閉する栓筒片１９が突設されている。
【００１５】
組付き筒２の外周面後側には、組付き筒２の全高さ範囲にわたって幅広縦溝状の凹欠部３が形成されており、連結板５は、その一方側端縁、すなわち連結端縁を凹欠部３の一方側端縁に、連結部６により一体連結することにより、組付き筒２に一体設され、その他方端縁、すなわち係合端縁を、凹欠部３の他方端縁に縦溝状に形成された係合部４に係合させることにより、凹欠部３内に不動に組付く。
【００１６】
連結部６は、凹欠部３の一方側端縁である一方の溝側面の開放端側、すなわち後端側に設けられているが、凹欠部３の一方側端縁の連結部６よりも前側、すなわち凹欠部３の底側箇所には、組付き筒２の全高さ範囲にわたって、肉薄細溝状の後部弱化線７が設けてあり、またこの後部弱化線７の上端に一端を接続させた構成で、組付き筒２の上端である頂板９部分に、組付き筒２の略半周にわたって肉薄細溝状の上部弱化線８が設けてある。
【００１７】
開姿勢の蓋体１６を持って、連結板５の他方端縁が係合部４から離脱する方向に強引に引っ張ると、連結板５は連結部６を回動軸芯として回動変位して凹欠部３から離脱し、またこの連結板５の凹欠部３からの離脱回動変位により、連結部６を支点としたテコ作用によって、後部弱化線７に強大な破断力を働かすことができるので、両弱化線７、８の破断を円滑に達成できる。
【００１８】
【発明の効果】
本発明は、上記した構成となっているので、以下に示す効果を奏する。
開姿勢の蓋体を持って、凹欠部から離脱する方向に連結板を回動させると、この連結板の回動変位により、後部弱化線および上部弱化線を簡単にかつ連続的に破断することができ、かつ両弱化線の破断は組付き筒の拡径変形ともなるので、両弱化線の破断と同時にキャップ本体の壜体口筒に対する組付き力を急激に弱化させることができ、もってヒンジキャップの壜体からの分別を、簡単にかつ速やかにそして確実に達成することができる。
【００１９】
また、組付き筒に対する連結板の不動な組付きを、連結部により組付き筒に一体に連結結合した一方端縁とは反対側の他方端縁の、凹欠部の係合部への係合により達成する構成、すなわち連結部を、単に一体連結部分として機能させるのではなく、連結板の組付き筒に対する不動組付き機能部分の一部として機能させる構成としたので、連結板の他方端縁および凹欠部の係合部は、連結部に対する寸法位置関係が一定で同じとなり、もって構造を簡単なものとすることができると共に、確実で強固な係合を得ることができ、さらにその組立ては一つの係合部を係合させるだけで達成されるので、きわめて確実で簡単なものとなる。
【図面の簡単な説明】
【図１】本発明の一実施例を示す、開姿勢の全体斜視図。
【図２】図１に示した実施例の、閉姿勢の全体縦断側面図。
【図３】図１に示した実施例の、キャップ本体の平断面図。
【図４】図１に示した実施例の、連結板の凹欠部から離脱時の全体斜視図。
【図５】図１に示した実施例の、分別操作の途中を示す全体斜視図。
【符号の説明】
１  ；  キャップ本体
２  ；  組付き筒
３  ；  凹欠部
４  ；  係合部
５  ；  連結板
６  ；  連結部
７  ；  後部弱化線
８  ；  上部弱化線
９  ；  頂板
１０；  嵌着段部
１１；  注出筒片
１２；  口壁
１３；  破断溝
１４；  除去壁部
１５；  プルリング
１６；  蓋体
１７；  周壁
１８；  頂壁
１９；  栓筒片
２０；  ヒンジ
２１；  壜体口筒
【図１】
0003894357.tif 000002
【図２】
0003894357.tif 000003
【図３】
0003894357.tif 000004
【図４】
0003894357.tif 000005
【図５】
0003894357.tif 000006